(57)【要約】【課題】【解決手段】プッシュプルプラグは、プラグハウジング１２に沿って前方に且つ後方に動かすことができる外側ハウジング１４を有している。外側ハウジングがその前方位置にあるとき、ラッチアーム２８は、上方位置すなわち噛み合った位置にあり、プラグは、プラグがジャック内に挿入されたとき、ジャックと噛み合った状態を保つ。外側ハウジングは、後方に動かされたとき、外側ハウジングにおけるカム面５０がラッチアームにおけるカム従動子４８を下方に押してラッチアーム及びラッチを下方位置すなわち非噛み合い位置まで押す。次に、外側ハウジングを引っ張れば、プラグをジャックから除去することができる。本発明に従ったプラグは、本発明に従った挿入及び除去工具５２と共に使用し得るようにすることができる。
2008518402.tif 000002
【特許請求の範囲】
【請求項１】
プッシュプルプラグにおいて、
プラグハウジングと、
外側ハウジングと、
前記プラグハウジングに配置されたラッチを有するラッチアームとを備え、
前記外側ハウジングと前記ラッチアームとの相互作用が、前記外側ハウジングを引っ張ることによるプラグの除去を可能とする、プッシュプルプラグ。
【請求項２】
請求項１に記載のプッシュプルプラグにおいて、前記外側ハウジングは複数の保持切欠きを有する、プッシュプルプラグ。
【請求項３】
請求項１に記載のプッシュプルプラグにおいて、前記プラグハウジングは、プラグ後壁を有する、プッシュプルプラグ。
【請求項４】
請求項４に記載のプッシュプルプラグにおいて、前記外側ハウジングは、前記プラグ後壁と係合して前記外側ハウジングをその位置に固定する外側ハウジングラッチを有する、プッシュプルプラグ。
【請求項５】
請求項４に記載のプッシュプルプラグにおいて、前記外側ハウジングは、前記プラグ後壁と係合して前記外側ハウジングをその位置に固定するスライダラッチを有する、プッシュプルプラグ。
【請求項６】
請求項１に記載のプッシュプルプラグにおいて、前記外側ハウジングを前方に偏倚させ得るよう前記外側ハウジングの空所内に配置された複数のばねを更に備える、プッシュプルプラグ。
【請求項７】
請求項１に記載のプッシュプルプラグにおいて、前記ラッチアームは、前記プラグハウジングと一体であり、前記ラッチアームは、可撓性の部材により前記プラグハウジングの上面にヒンジ止めで取り付けられる、プッシュプルプラグ。
【請求項８】
請求項７に記載のプッシュプルプラグにおいて、前記ラッチアームは、前記プラグハウジングの上面から弾性的に偏倚されて離れる、プッシュプルプラグ。
【請求項９】
請求項１に記載のプッシュプルプラグにおいて、少なくとも１つのカム従動子が前記ラッチアームから横方向に伸びており、前記カム従動子は、プラグを挿入し且つ除去する間、前記外側ハウジングにおける少なくとも１つのカム面と相互作用する、プッシュプルプラグ。
【請求項１０】
請求項１に記載のプッシュプルプラグにおいて、前記外側ハウジングと前記ラッチアームとの間の相互作用は、プラグを除去する間、前記ラッチを非噛み合い位置まで動かす、プッシュプルプラグ。
【請求項１１】
請求項１に記載のプッシュプルプラグにおいて、前記外側ハウジングは、手操作によるプラグの挿入及び除去を容易にする指握り部を有する、プッシュプルプラグ。
【請求項１２】
請求項１１に記載のプッシュプルプラグにおいて、指握り部は、交番的な態様にて隣接するプラグに配置される、プッシュプルプラグ。
【請求項１３】
請求項１に記載のプッシュプルプラグにおいて、前記ラッチアームは、前側ラッチアーム支持体を介して前記プラグハウジングの前端縁と接続される、プッシュプルプラグ。
【請求項１４】
請求項１に記載のプッシュプルプラグにおいて、ブートアダプタによって前記プラグハウジングの一端に取り付けられたブートを更に備える、プッシュプルプラグ。
【請求項１５】
プッシュプルプラグの挿入及び除去を容易にする工具において、
ハンドルと、
前記ハンドルから伸びており、その端部にクリップを有する幹部と、
クリップの各端部における対向するクリップアームであって、内方を向けたクリップリッジを有する前記対向したクリップアームとを備え、
前記クリップリッジは、プラグの外面における保持切欠きと係合する、プッシュプルプラグの挿入及び除去を容易にする工具。
【請求項１６】
請求項１５に記載の工具において、前記幹部及び前記クリップは、可撓性の材料からなる、工具。
【請求項１７】
プッシュプルプラグをジャックから除去する方法において、
外側ハウジングとプラグハウジングとを有するプラグであって、前記外側ハウジングはカム面と、対向した保持切欠きとを有し、前記プラグハウジングはラッチアームを有し、前記ラッチアームはカム従動子を有する前記プラグを提供するステップと、
前記外側ハウジングを後方位置まで引き戻し、これにより前記カム面が後方に押され且つ前記カム従動子が下方に押されるようにするステップとを備え、
前記カム従動子の下方への動きにより前記ラッチアームが非噛み合い位置に到達し、ラッチがジャックの噛み合い突起と非係合状態となるまで、前記ラッチアームが下方に動くようにした、プッシュプルプラグをジャックから除去する方法。
【請求項１８】
請求項１７に記載の方法において、プラグをジャックから除去した後、ばねが前記外側ハウジングを前方に押し、前記ラッチアームは噛み合った位置に戻る、方法。
【請求項１９】
請求項１７に記載の方法において、前記外側ハウジングは、工具を使用することを通じて後方に引き戻され、前記工具は、ハンドルと、幹部と、クリップとを備え、前記クリップは２つのクリップリッジを有する、方法。
【請求項２０】
請求項１９に記載の方法において、前記工具は、一方のクリップリッジにより前記外側ハウジングにおける１つの保持切欠きと係合し、次に、軸方向に回転して他方のクリップリッジにて対向する保持切欠きと係合するようにした、方法。
【発明の詳細な説明】
【関連出願の相互参照】
【０００１】
［０００１］  本出願は、２００４年１０月２２日付けで出願され、その内容の全体を参考として引用し本明細書に含めた米国仮特許出願明細書６０／６２１，２２９号の利益を主張するものである。
【技術分野】
【０００２】
［０００２］  本発明は、全体として、通信コネクタ、より具体的には、プッシュプルプラグに関する。
【背景技術】
【０００３】
［０００３］  データ通信の重要性が増すに伴い、高密度接続を使用する傾向が強まる。パッチパネル及びネットワークスイッチのような通信装置における接続密度の増大は、所定の領域内にてより多数の接続を可能にする点にて望ましい。例えば、多くの企業はそのネットワーク装置に対するラックを採用し、これらのラックは特定の床スペースを占める。かかる企業は、同一のラック内にて標準型のネットワーク装置を高密度ネットワーク装置と置換することにより、より多数のネットワーク接続部を設置することができる。このように、高密度装置は、同一の広さの床スペースがより多数のネットワーク接続部を支持することを許容する。
【発明の開示】
【発明が解決しようとする課題】
【０００４】
［０００４］  しかし、接続密度の増大に伴い、コネクタを差し込み且つ引き抜くことはより困難となる。高密度パッチパネルのような高密度接続部を有する領域は、取り付け作業員がプラグにアクセスするためのスペースは殆ど残らない。プラグは互いに極めて近接しているため、技術員が隣接するプラグの間に到達しプラグのラッチを操作しこれによりプラグを解放することは困難である。また、挿入する間、プラグを保持することも困難である。プラグから出るケーブルが高密度であることは、これらの困難性を増すことになる。高密度の環境においてさえ、挿入し且つジャックから除去することが容易であるプラグを有することが望ましい。
【課題を解決するための手段】
【０００５】
［０００５］  本発明の１つの実施の形態に従い、プッシュプルプラグには、ラッチを作動させる外側ハウジングが設けられる。
［０００６］  本発明の一部の実施の形態に従い、外側ハウジングは、１つ又はより多くのカムを有し、これらのカムは、ラッチアームにおける１つ又はより多くのカム従動子と相互作用し、ラッチアームを噛み合った位置と非噛み合い位置との間にて動かすことができる。噛み合った位置において、ラッチアームに設けられたラッチは、ジャックに掛止めする位置にある。非噛み合い位置にあるとき、ラッチはジャックから除去される位置にある。
［０００７］  ラッチアームは、ラッチアームの後端においてのみプラグハウジングと接続することができる。これと代替的に、ラッチアームは、ラッチアームの前端及び後端にてプラグハウジングと接続される。別の代替的な実施の形態において、ラッチアームは、ラッチアームの前部においてのみプラグハウジングと接続される。
［０００８］  外側ハウジングを偏倚させるためばねを設けることができる。一部の実施の形態において、外側ハウジングは、ばねによって前方位置に偏倚され、外側ハウジングが前方位置にあるとき、ラッチは噛み合った位置にある。別の代替的な実施の形態において、スライダラッチを使用してプラグハウジングを外側ハウジングに固定する。
【発明を実施するための最良の形態】
【０００６】
［００３７］  先ず、図１を参照すると、プラグ１０の１つの実施の形態が図示されている。該プラグ１０は、プラグハウジング１２と、外側ハウジング１４とを備えている。ブート１６がプラグハウジング１２の後部に取り付けられてプラグにて終端とされたケーブル７０（図２７に図示）の曲げ半径を制御する。外側ハウジング１４は、図３に示したラッチアーム１８と相互作用し、ラッチがジャックと噛み合うように配置される第一の位置すなわち噛み合った位置と、ラッチがジャックから解放されるよう配置される第二の位置すなわち非噛み合い位置との間にてラッチアームのラッチ２０を動かす。外側ハウジング１４とラッチアーム１８との相互作用は、外側ハウジング１４を押し且つ引っ張ることにより、プラグ１０を取り付け且つ除去することを許容する。ブート１６は、ブートアダプタ２６にてプラグと接続される。
［００３８］  外側ハウジング１４は、保持溝２４に保持切欠き２２を有している。保持切欠き２２及び保持溝２４は、図１０に示した工具５２が確実に、しかし、解放可能に外側ハウジング１４を把持してプラグ１０のジャック内への挿入及びプラグのジャックからの除去を容易にすることを許容する。
［００３９］  プラグ１０の後方斜視図が図２に示されている。ブート１６は、ブートアダプタ２６にてプラグハウジング１２と接続されている。外側ハウジングのラッチ２８は、プラグ後壁３０と係合し、外側ハウジングは前方（図２の上右側）に偏倚したとき、外側ハウジング１４をその位置に保持する。
［００４０］  次に、図３を参照すると、プラグ１０の分解図が図示されている。プラグ１０を組み立てるためには、ブート１６をスロット３２を介してブートアダプタ２６のブートラッチ３４と接続する。ブートアダプタ２６は、プラグハウジング１２の後側開口部３６内に挿入し且つ、ラッチによってその位置に保持することができる。
［００４１］  外側ハウジング１４は、前部からプラグハウジング１２まで摺動させ、ばね３８を外側ハウジング１４の空所４０内に挿入する。ばね３８は、プラグ前壁３０と外側ハウジング１４の前壁との間に介在させ、外側ハウジングラッチ２８がプラグ後壁３０と掛止めする。ばね３８は、外側ハウジング１４を前方に（図３の上右側）に向けて偏倚させ、外側ハウジングラッチ２８は外側ハウジング１４を偏倚力に抗してその位置に保持する。この配置は、外側ハウジング１４を後方に（図３の下左側に向けて）摺動させるのを許容し、これによりラッチアーム１８及びラッチ２０を図４に示した噛み合った位置から図５に示した非噛み合い位置まで移動させる。
［００４２］  図４に示した実施の形態において、ラッチアーム１８は、プラグハウジング１２と一体的であり且つ、可撓性部材４２によりプラグハウジング１２の上面４４にヒンジ止め状に取り付けられている。また、図４に示した実施の形態のラッチアーム１８は、前部ラッチアーム支持体４６を介してプラグハウジング１２の前端縁と接続されている。代替的な実施の形態において、前部アームラッチ支持体４６は廃止してもよい。
［００４３］  ラッチアーム１８は、プラグハウジング１２の上面４４から弾性的に偏倚されて離れる。カム従動子４８は、ラッチアーム１８から横方向に伸びている。図４には、外側ハウジング（図４に図示せず）が前方位置にあるときに提供される、噛み合った位置にあるラッチアーム１８を有するプラグハウジング１２が示されている。図５には、外側ハウジングは後方位置にあるときに提供される、非噛み合い位置にあるラッチアーム１８を有するプラグハウジング１２が示されている。同様に、図６及び図７は、ラッチアーム１８がそれぞれ噛み合った位置及び非噛み合い位置にある状態を示す、プラグハウジング１２の側面図である。本発明の１つの実施の形態に従い、プラグハウジング１２、ラッチアーム１８及び可撓性部材４２は、熱可塑性樹脂から一体的に成形される。
［００４４］  図８及び図９は、外側ハウジング１４におけるカム面５０とラッチアーム１８におけるカム従動子４８との間の相互作用を示す、プラグハウジング１２及び外側ハウジング１４の切欠き図である。図８及び図９の切欠き図には、１つのみのカム面５０と１つのカム従動子４８との間の相互作用状態が示されているが、図１ないし図９に示した実施の形態において、外側ハウジング１４における２つのカム面５０と、ラッチアーム１８における２つのカム従動子４８とが存在する。
［００４５］  図８において、外側ハウジング１４は、前方位置にあり、ラッチアーム１８は噛み合った位置にある。ラッチアーム１８が噛み合った位置にあり、カム従動子４８がその最上方位置にあるとき、ラッチ２０はジャック内にて噛み合い突起に係止するよう配置される。プラグをジャック内に挿入する間、ラッチアームが噛み合った位置にあるとき、ラッチアームは下方に偏向され、そのとき、ばねは、ラッチアーム１８の弾性のため後方に反発動作し、ラッチ２０はジャックの噛み合い突起の後方に係止する。
［００４６］  プラグをジャックから解放するため、ユーザは、外側ハウジング１４を図９に示した後方位置に戻す。このことは、外側ハウジングのカム面５０を後方に押し、これによりカム従動子４８を下方に押すことになる。ラッチアーム１８は、該ラッチアームが図９に示した非噛み合い位置に達し、ラッチ２０がジャック内にて噛み合い突起から非係合状態とされる迄、カム従動子４８と共に下方に動く。ラッチアーム１８がその非噛み合い位置にあるとき、プラグはジャックから自由に除去することができる。プラグをジャックから除去した後、ばね３８（図３に図示）は、外側ハウジング１４を前方に押し、ラッチアーム１８は、図８に示した噛み合った位置に戻る。
［００４７］  プラグ１０をジャックから除去するためには、ユーザは、外側ハウジング１４を後方に引っ張る必要があるが、ユーザがラッチに下向きの力を加える必要はない。このことは、プラグを手操作にてジャックから除去することを簡単にする。本発明に従ったプラグは、また図１０ないし図１２に示した工具と共に使用することもできる。
［００４８］  次に、図１０を参照すると、本発明の一部の実施の形態に従ってプラグを挿入し且つ除去する工具５２が図示されている。該工具５２は、図１ないし図９及び図２０ないし図２８に示したプラグの実施の形態と共に使用することができるが、図１０ないし図１２には、図１３ないし図１９に示したプラグの実施の形態と共に使用する状態で示されている。工具５２は、ハンドル５４と、該ハンドル５４から伸びる幹部５６とを有している。幹部５６は、その端部にクリップ５８を有している。該クリップ５８は、内方を向いたクリップリッジ６２を有する対向するクリップアーム６０を備えている。工具５２の１つの実施の形態に従い、ハンドル５４は、プラスチック製であり、幹部５６及びクリップ５８は金属製である。その他の材料が採用可能である。幹部５６及びクリップ５８は、図１１及び図１２により詳細に示すように、工具を使用してプラグを挿入し及び除去するのを容易にし得るよう可撓性を有することが好ましい。
［００４９］  図１１には、プラグ１１０を把持する工具５２が示されている。図１２により詳細に示すように、クリップのクリップリッジ６２は、外側ハウジング１１４における保持切欠き１２２と係合する。作業時、保持切欠き１２２の１つが最初に１つのクリップリッジ６２と係合し、次に、工具５２を軸方向に回転させ対向した保持切欠き１２２がその他のクリップリッジ６２と係合するようにすることが好ましい。クリップリッジ６２が保持切欠き１２２内に挿入されると、工具を後方（図１０ないし図１２にて上左方向）に向けて引っ張って外側ハウジング１１４をその後方位置まで動かし、これによりラッチアーム１１８をその非噛み合い位置まで動かす。ラッチアーム１１８が非噛み合い位置にあるとき、プラグ１１０は工具５２を引っ張れば、ジャックから除去されよう。
［００５０］  工具５２は、プラグをジャック内に挿入するためにも使用することができる。プラグをジャック内に挿入するためには、クリップリッジ６２を挿入されないプラグの対向する保持切欠き１２２内に挿入する。次に、工具をジャックに向けて案内し、プラグをジャック内に挿入する。次に、工具を軸方向に回転させて１つのクリップリッジ６２をその保持切欠き１２２から非係合状態にすることにより、工具をプラグから非係合状態にすることができる。この非係合状態となった後、工具を僅かに上方に動かし且つ、反対方向に向けて僅かに軸方向に回転させることにより、プラグがジャック内に残る状態にて工具は非係合状態となり、工具を後方に引っ張ることを許容する。１つの実施の形態に従い、外側ハウジング１１４に４つの保持切欠き１２２が設けられる。外側ハウジング１１４の各側部に２つの保持切欠き１２２がある状態にて、保持切欠き１２２には、工具５２が上方から又は下方から係合することができる。１つの代替的な実施の形態において、１つのみの保持切欠きが外側ハウジングの各側部に設けられて細長いクリップアームを有する工具によって上方又は下方から係合することを許容する。
［００５１］  図１３ないし図１９には、本発明の１つの代替的な実施の形態に従ったプラグ１１０の作用部が示されている。代替的な実施の形態において、プラグ１１０のラッチアーム１１８は、プラグハウジング１１２と一体的であり且つ、プラグの後壁１３０から前方向に向けて伸びている。ラッチアーム１１８は、可撓性部材１４２によりプラグの後壁１３０にヒンジ止め状に取り付けられている。ラッチアーム１１８は、プラグハウジング１１２の上面１４４から弾性的に偏倚されて離れる。ラッチアーム１１８は、カム従動子１４８と、ラッチ１２０とを有し且つ、図１ないし図９に示した実施の形態のラッチアーム１８と同様に作用する。図１３ないし図１９のラッチアーム１１８は、その前端縁に沿ってプラグハウジング１１２の上面１４４に対し接続自在である。
［００５２］  図１６ないし図１９には、外側ハウジング１１４を有するプラグ１１０が示されている。図１６及び図１７において、外側ハウジング１１４は、その前方位置にあり、ラッチアーム１１８及びラッチ１２０は、それらの噛み合った位置にある。図１８及び図１９において、外側ハウジング１１４は、その後方位置まで動かされており、ラッチアーム１１８及びラッチ１２０は、それらの非噛み合い位置にある。図１ないし図９の実施の形態と同様に、外側ハウジング１１４が解放されたとき、外側ハウジング１１４がその前方位置まで戻るよう外側ハウジング１１４の空所内にばねが設けられている。図１９に示すように、外側ハウジング１１４は、保持溝１２４内に保持切欠き１２２を有しており、工具を使用してプラグ１１０を取り付け且つ除去することを可能にする。
［００５３］  図２０ないし図２７には、本発明の更に別の代替的な実施の形態におけるプラグ２１０が示されている。この実施の形態において、外側ハウジング２１４は、ユーザが工具を使用せずにプラグ２１０を挿入し且つ除去することを許容する指握り部２２８を有している。
［００５４］  外側ハウジング２１４は、指握り部２２８により手操作にて又は工具を使用して前部からプラグハウジング２１２まで摺動させ且つ、１つ又はより多くのスライダラッチ２２５によりその位置に保持される。この配置は、外側ハウジング２１４を後方（図２１の下左側）に向けて摺動させ、これによりラッチアーム２１８及びラッチ２２０を図２２に示した噛み合った位置から図２４に示した非噛み合い位置まで動かすことを許容する。
［００５５］  図２２ないし図２５に示した実施の形態において、プラグ２１０のラッチアーム２１８は、プラグハウジング２１２と一体的であり且つ、一体的なばねアーム２３０から前方に向けて伸びている。ラッチアーム２１８は、部材２４２により一体的なばねアーム２３０にヒンジ止め状に取り付けられる。ラッチアーム２１８は、プラグハウジング２１２の上面２４４から弾性的に偏倚されて離れる。ラッチアーム２１８は、ラッチアーム２１８及びラッチ２２０から横方向に伸びるカム従動子２４８を有している。ラッチアーム２１８は、その前端縁に沿ってプラグハウジング１２２の上面２４４との接続部から自由である。
［００５６］  図２２は、外側ハウジング２１４が前方位置にあるときに提供される、噛み合った位置にあるラッチアーム２１８を有するプラグハウジング２１２が示されている。図２４には、外側ハウジングが後方位置にあるときに提供される、非噛み合い位置にあるラッチアーム２１８を有するプラグハウジング２１２が示されている。同様に、図２３及び図２５は、噛み合った位置及び非噛み合い位置にあるそれぞれラッチアーム２１８を示すプラグハウジング２１２の断面図である。本発明の１つの実施の形態に従い、プラグハウジング２１２及びラッチアーム２１８は、熱可塑性樹脂から一体的に成形されている。
［００５７］  図２２に示すように、外側ハウジング２１４が前方位置にあるとき、ラッチアーム２１８は噛み合った位置にある。ラッチアーム２１８が噛み合った位置にあるとき、カム従動子２４８は、最上方位置にあり、ラッチ２２０は、ジャック内の噛み合い突起と掛止めするよう配置されている。プラグ２１０をジャック内へのプラグの挿入は、上述したように、プラグ１０の挿入の場合と実質的に同一である。
［００５８］  プラグをジャックから解放するためには、ユーザは、外側ハウジング２１４を指握り部２２８を使用して後方位置まで引き戻す。このことは、外側ハウジングのカム面５０（上述）を後方に押し、これによりカム従動子２４８を下方に押すことになる。ラッチアーム２１８は、該ラッチアームが図２４に示した非噛み合い位置に達し、ラッチ２２０がジャック内での噛み合い突起から非係合状態となる迄、カム従動子２４８と共に下方に動く。ラッチアーム２１８がその非噛み合い位置にあるとき、プラグは、ジャックから除去自在である。プラグをジャックから除去した後、一体的なばねアーム２３０は外側ハウジング２１４を前方に押し、ラッチアーム２１８は噛み合った位置に戻る。
［００５９］  プラグ２１０をジャックから除去するためには、ユーザは、指握り部２２８を使用して外側ハウジング２１４を後方に引っ張る必要があるが、ユーザがラッチに下向きの力を加える必要はない。このことは、プラグをジャックから手操作にて除去することを簡単にする。この実施の形態に従ったプラグは、図２６に示したように工具５２と共に使用することもでき、この図５において、工具５２はプラグ２１０を把持する状態が示されている。る。クリップのクリップリッジ６２は、外側ハウジング２１４の保持切欠き２２２に係合する。工具５２は、プラグ１１０に関して上述したのと同一の方法によりプラグ２１０をジャック内に挿入するためにも使用することができる。
［００６０］  図２７及び図２８には、パッチパネル内に取り付けられたプラグ２１０が図示されている。図２７に図示するように、ケーブル７０は、ブート２１６にてプラグ２１０に取り付けられる。図２８には、隣接するプラグを挿入する間、単一のプラグを手操作にて挿入し且つ除去することを容易にする代替的な態様にて指握り部２２８をプラグ２１０に配置する方法が示されている。
［００６１］  本発明の特定の実施の形態及び適用例を図示し且つ説明したが、本発明は、本明細書に開示された正確な構造及び組成にのみ限定されず、特許請求の範囲に記載された本発明の精神及び範囲から逸脱せずに、色々な改変例、変更及び変更例が上記の説明から明らかであることが理解される。例えば、本発明に従った貫通プラグは、ＲＪ−４５通信プラグとして説明したが、本発明の原理は、電気的及び光学的プラグを含む、その他の型式のプラグにも適用可能であることが理解される。
【図面の簡単な説明】
【０００７】
【図１】本発明の１つの実施の形態に従ったプラグの前方右斜視図である。
【図２】図１のプラグの後方右斜視図である。
【図３】図１のプラグの後方右分解図である。
【図４】ラッチが噛み合った位置にある、プラグハウジングの前方右斜視図である。
【図５】ラッチが非噛み合い位置にある、図４のプラグハウジングの前方右斜視図である。
【図６】ラッチが噛み合った位置にある、図４のプラグハウジングの側面図である。
【図７】ラッチが非噛み合い位置にある、図４のプラグハウジングの側面図である。
【図８】外側ハウジングが前方位置にあり、ラッチが噛み合った位置にあるプラグハウジング及び外側ハウジングの断面図である。
【図９】外側ハウジングが後方位置にあり、ラッチが非噛み合い位置にある、図８のプラグハウジング及び外側ハウジングの断面図である。
【図１０】プラグの取り付け及び除去工具の斜視図である。
【図１１】プラグを把持する図１０の工具の斜視図である。
【図１２】図１１の細部分「Ａ」の詳細図である。
【図１３】本発明の１つの実施の形態に従ったプラグハウジングの前方右斜視図である。
【図１４】図１３のプラグハウジングの後方右斜視図である。
【図１５】図１３のプラグハウジングの側面図である。
【図１６】ラッチが噛み合い位置にある、外側ハウジングを有するプラグの前方右斜視図である。
【図１７】図１６のプラグの側面図である。
【図１８】ラッチが非噛み合い位置にある、図１６のプラグの前方右斜視図である。
【図１９】図１８のプラグの側面図である。
【図２０】本発明の別の実施の形態に従ったプラグの後方右斜視図である。
【図２１】図２０のプラグの後方右分解図である。
【図２２】ラッチが噛み合った位置にある、図２０のプラグの側面図である。
【図２３】図２２の線Ａ−Ａに沿った図２２のプラグの断面図である。
【図２４】ラッチが非噛み合い位置にある、図２０のプラグの側面図である。
【図２５】図２４の線Ｂ−Ｂに沿った図２４のプラグの断面図である。
【図２６】図２０のプラグを把持する図１０の工具の斜視図である。
【図２７】同一設計のその他のプラグと共にパッチパネル内に取り付けられた、図２０のプラグの側面図である。
【図２８】同一設計のその他のプラグと共にパッチパネル内に取り付けられた、図２７のプラグの正面図である。
【図１】
2008518402.tif 000003
【図２】
2008518402.tif 000004
【図３】
2008518402.tif 000005
【図４】
2008518402.tif 000006
【図５】
2008518402.tif 000007
【図６】
2008518402.tif 000008
【図７】
2008518402.tif 000009
【図８】
2008518402.tif 000010
【図９】
2008518402.tif 000011
【図１０】
2008518402.tif 000012
【図１１】
2008518402.tif 000013
【図１２】
2008518402.tif 000014
【図１３】
2008518402.tif 000015
【図１４】
2008518402.tif 000016
【図１５】
2008518402.tif 000017
【図１６】
2008518402.tif 000018
【図１７】
2008518402.tif 000019
【図１８】
2008518402.tif 000020
【図１９】
2008518402.tif 000021
【図２０】
2008518402.tif 000022
【図２１】
2008518402.tif 000023
【図２２】
2008518402.tif 000024
【図２３】
2008518402.tif 000025
【図２４】
2008518402.tif 000026
【図２５】
2008518402.tif 000027
【図２６】
2008518402.tif 000028
【図２７】
2008518402.tif 000029
【図２８】
2008518402.tif 000030
【国際調査報告】
2008518402.tif 000031
2008518402.tif 000032
2008518402.tif 000033